(57)【要約】【課題】ＡＣ／ＤＣアダプタが宙に浮かないように粘着テープやコード等で括りつけるといった問題を解消する。【解決手段】  建物に取り付けられる配線ダクトＤと、配線ダクト用ＰＬＣプラグ２と、を備える配線ダクトシステム、に用いるネットワーク機器取付台４９を備える。ネットワーク機器取付台４９は、配線ダクトＤに取り付けられると共にネットワーク機器３を支持するものであり、ネットワーク機器３の電源ケーブル８３の途中に設けられたＡＣ／ＤＣアダプタを載置可能なトレイ部５５を備える。【選択図】図１
2009093897.tif 000002
【特許請求の範囲】
【請求項１】
建物に取り付けられるスライドレール部と、前記スライドレール部に沿って設けられ且つ前記建物に配索された電力線に対して接続される導体と、を備える配線ダクトと、
前記配線ダクトのスライドレール部に取り付けられると共に前記配線ダクトの導体に電気接続される取付部と、ネットワーク機器の通信ケーブルが接続される通信ケーブル接続部と、前記配線ダクトの導体からの電力線搬送信号を復調して前記ネットワーク機器に送信するとともに前記ネットワーク機器からのデータ信号を電力線搬送信号に変調して前記配線ダクトの導体に送信するモデムと、前記ネットワーク機器の電源ケーブルが接続される電源ケーブル接続部と、を有する配線ダクト用ＰＬＣプラグと、
を備える配線ダクトシステム、に用いるネットワーク機器取付台であって、
前記ネットワーク機器取付台は、前記配線ダクトに取り付けられると共に前記ネットワーク機器を支持するものであり、前記ネットワーク機器の電源ケーブルのＡＣ／ＤＣアダプタを載置可能なトレイ部を備えることを特徴とするネットワーク機器取付台。
【請求項２】
建物に取り付けられるスライドレール部と前記スライドレール部に沿って設けられ且つ前記建物に配索された電力線に対して接続される導体と、を備える配線ダクトと、
前記配線ダクトのスライドレール部に取り付けられると共に前記配線ダクトの導体に電気接続される取付部と、ネットワーク機器の通信ケーブルが接続される通信ケーブル接続部と、前記配線ダクトの導体からの電力線搬送信号を復調して前記ネットワーク機器に送信するとともに前記ネットワーク機器からのデータ信号を電力線搬送信号に変調して前記配線ダクトの導体に送信するモデムと、前記ネットワーク機器の電源ケーブルが接続される電源ケーブル接続部と、を有する配線ダクト用ＰＬＣプラグと、
前記配線ダクトに取り付けられると共に前記ネットワーク機器を支持するネットワーク機器取付台であって、前記ネットワーク機器の電源ケーブルのＡＣ／ＤＣアダプタを載置可能なトレイ部を有するネットワーク機器取付台と、
を備えることを特徴とする配線ダクトシステム。
【発明の詳細な説明】
【技術分野】
【０００１】
本発明は、ネットワーク機器取付台及び配線ダクトシステムに関する。
【背景技術】
【０００２】
従来より、屋内の天井などに取り付けたスライドレール状の配線ダクトを屋内の天井などに取り付け、この配線ダクト内の導線に前記屋内に配索された電力線を接続し、この配線ダクトに対して配線ダクト用コンセントプラグを取り付け、当該配線ダクト用コンセントプラグに照明器具の電源ケーブルを電気接続することで、照明器具に電力供給する配線ダクトシステムが提案されている（例えば特許文献１参照）。
【特許文献１】特開昭５３−０８４１９５
【発明の開示】
【発明が解決しようとする課題】
【０００３】
このような配線ダクトシステムを応用し、本発明者は、配線ダクトに電力線搬送通信用のＰＬＣプラグを取り付けて、当該ＰＬＣプラグを介して電力と通信をネットワーク機器に供給する配線ダクトシステムに想い到った。このような配線ダクトシステムでは、ネットワーク機器の電源ケーブルのＡＣ／ＤＣアダプタの配置位置に配慮が必要となる。つまり、ＡＣ／ＤＣアダプタが天井の配線ダクトの近傍で宙に浮いた状態とならないように、ＡＣ／ＤＣアダプタを配線ダクトや配線ダクト用ＰＬＣプラグなどに粘着テープなどで括り付けて固定する必要があり、手間がかかる上に見栄えが悪いという問題があった。
【０００４】
そこで、本発明は、ネットワーク機器の電源ケーブルのＡＣ／ＤＣアダプタを括りつけることにより生じる問題を解消できる配線ダクトシステムおよびネットワーク機器取付台の提供を目的とする。
【課題を解決するための手段】
【０００５】
請求項１に記載の発明は、建物に取り付けられるスライドレール部と、前記スライドレール部に沿って設けられ且つ前記建物に配索された電力線に対して接続される導体と、を備える配線ダクトと、前記配線ダクトのスライドレール部に取り付けられると共に前記配線ダクトの導体に電気接続される取付部と、ネットワーク機器の通信ケーブルが接続される通信ケーブル接続部と、前記配線ダクトの導体からの電力線搬送信号を復調して前記ネットワーク機器に送信するとともに前記ネットワーク機器からのデータ信号を電力線搬送信号に復調して前記配線ダクトの導体に送信するモデムと、前記ネットワーク機器の電源ケーブルが接続される電源ケーブル接続部と、を有する配線ダクト用ＰＬＣプラグと、を備える配線ダクトシステム、に用いるネットワーク機器取付台であって、前記ネットワーク取付台は、前記配線ダクトに取り付けられると共に前記ネットワーク機器を支持するものであり、前記ネットワーク機器の電源ケーブルのＡＣ／ＤＣアダプタを載置可能なトレイ部を備えることを特徴とするものである。
【０００６】
請求項２に記載の発明は、配線ダクトシステムであって、建物に取り付けられるスライドレール部と前記スライドレール部に沿って設けられ且つ前記建物に配索された電力線に対して接続される導体と、を備える配線ダクトと、前記配線ダクトのスライドレール部に取り付けられると共に前記配線ダクトの導体に電気接続される取付部と、ネットワーク機器の通信ケーブルが接続される通信ケーブル接続部と、前記配線ダクトの導体からの電力線搬送信号を復調して前記ネットワーク機器に送信するとともに前記ネットワーク機器からのデータ信号を電力線搬送信号に復調して前記配線ダクトの導体に送信するモデムと、前記ネットワーク機器の電源ケーブルが接続される電源ケーブル接続部と、を有する配線ダクト用ＰＬＣプラグと、前記配線ダクトに取り付けられると共に前記ネットワーク機器を支持するネットワーク機器取付台であって前記ネットワーク機器の電源ケーブルのＡＣ／ＤＣアダプタを載置可能なトレイ部を有するネットワーク機器取付台と、を備えることを特徴とするものである。
【発明の効果】
【０００７】
請求項１の発明によれば、ネットワーク機器取付台がトレイ部を備えて構成されているため、このトレイ部にネットワーク機器の電源ケーブルのＡＣ／ＤＣアダプタを載置することができる。これによりＡＣ／ＤＣアダプタを粘着テープなどで配線ダクトなどに括りつける手間がかからない上、見栄えが向上する。
【０００８】
請求項２の発明によれば、ネットワーク機器取付台がトレイ部を備えて構成されているため、このトレイ部にネットワーク機器の電源ケーブルのＡＣ／ＤＣアダプタを載置することができる。これによりＡＣ／ＤＣアダプタを粘着テープなどで配線ダクトなどに括りつける手間がかからない上、見栄えが向上する。
【発明を実施するための最良の形態】
【０００９】
以下、本発明の好適な実施形態について図面を参照しながら詳細に説明する。
【００１０】
（第１実施形態）
まず図１〜図９を参照しつつ第１実施形態の配線ダクトシステム３０について説明する。図１は第１実施形態にかかる配線ダクトシステム３０の全体図である。
【００１１】
配線ダクトシステム３０は、図１に示すように例えば屋内の天井に配設された配線ダクトＤと、当該配線ダクトＤに取り付けられる配線ダクト用のＰＬＣプラグ２と、通信ケーブル８２及び電源ケーブル８３を介してＰＬＣプラグ２に接続される複数のネットワーク機器３（図１においては１つのみ示す）と、配線ダクトＤに取り付けられると共に１つのネットワーク機器としてのネットワークカメラ３を支持するネットワーク機器取付台としてのカメラ取付台４９と、を備えて構成される。
【００１２】
まず、本実施形態の配線ダクトＤについて、図２に基づいて説明する。
【００１３】
配線ダクトＤは図２に示すように、断面がコ字状をした長尺形状のスライドレール部１と、スライドレール部１に内蔵される導体１０と、で概略構成される。
【００１４】
スライドレール部１は、図２に示すように上壁１３、側壁１２、底壁１１を備えて構成されており、リップ部となる底壁１１の間がスライドレール部１の内部と外部とを連通する開口１４となり、この開口１４は下側を向くように配設される。
【００１５】
側壁１２の内面には、導体１０を保持するための導体保持部１５が設けてある。導体保持部１５は、導体１０を上下から挟持する導体挟持リブ１５ａを側壁１２の内面から突設すると共に、導体挟持リブ１５ａ間に架設リブ１５ｂを架設して形成してあり、導体１０は架設リブ１５ａの内側（スライドレール部１の中心側）の面と両挟持リブの先端部とによって保持されている。導体１０は、断面が短形状をした長尺のもので、スライドレール部１の長手方向に沿って配設される。
【００１６】
そして、上壁１３の内面には、アース導体１６を保持するアース導体保持部１７が設けてある。アース導体保持部１７は、上壁１３の内面に設けられてアース導体１６を挟持する断面Ｌ字状をした二つのアース導体挟持リブによって形成され、このアース導体挟持リブによってアース導体１６が保持される。
【００１７】
次に、本実施形態の配線ダクト用ＰＬＣプラグ（ＰＬＣモデム）について、図２、図３及び図６に基づいて説明する。
【００１８】
ＰＬＣプラグ２は、電力線通信装置を内蔵するハウジング２０と、ハウジング２０の固定され且つ配線ダクトＤのスライドレール部１に対して取り付けられる取付部６と、を備えて構成されている。なお、電力線通信装置は、インターフェース部４と通信ケーブル接続部５とを備えて構成されている。
【００１９】
ハウジング２０は略箱形状をしたもので、内部に電線３１、電力線通信装置のインターフェース部４が収納されると共に、上面に配線ダクトＤに固定するための電極３２を備えた取付部６が設けられ、上面以外の表面に電源ケーブル接続部７の栓刃挿入口７１、電力線通信装置の通信ケーブル接続部５が設けられている。
【００２０】
電線３１は、ハウジング２０上面の取付部６に設けられている電極３２に接続されてハウジング２０内のネットワーク機器に電力や電力線通信用の信号（以下、通信信号という）を電送するもので、電源ケーブル接続部７の刃受けに接続するための電線と、電力線通信装置を構成する各機器（後述する）に電力を供給する電線と、電力線通信装置に通信信号を伝送する電線と、電力線通信装置の各機器を結ぶ電線と、からなる。
【００２１】
電源ケーブル接続部７は、図６に示すようにハウジング２０内に収納され電線３１を介して電力線ＰＬに接続される刃受けと、ハウジング２０の表面に設けられ他の機器に電力を供給するプラグの栓刃が挿入されて刃受けに接続される栓刃挿入口７１と、からなるものである。
【００２２】
次に、ハウジング２０を配線ダクトＤに装着するための取付部６について図２〜図５に基づいて説明する。取付部６は、ハウジング２０の上面（天面壁部の上面）に設けられ、配線ダクトＤの開口１４内に下方より挿入されて配線ダクトＤの底壁１１によってハウジング２０を支持させるものである。
【００２３】
ハウジング２０の天面壁部の上面からは、ハウジング２０の長手方向に沿った長尺の立設片２８が二つ立設してあり、この立設片２８は、配線ダクトＤのスライドレール部１の側壁１２の下端部を下方より被嵌するもので、ハウジング２０の天面壁部の両立設片２８間の部分に取付部６が設けられる。
【００２４】
取付部６は、ハウジング２０の天面壁部に形成した開口穴（図示せず）に回転自在に装着されて上方に突出する挿入部６１で主体が構成される。挿入部６１の開口穴に装着される部分は、図示はしないが、天面壁部の下面側に当接する開口穴より大径の下フランジ部と、天面壁部の上面側に当接する開口穴より大径の上フランジ部と、からなり、これらによりハウジング２０に抜け止めされた状態で装着される。
【００２５】
挿入部６１は、配線ダクトＤの開口１４内に挿入されるもので、側面からは係止部６２を側方に突設してある。係止部６２は、挿入部６１の周方向の互いに反対側となる二ヶ所から側方に突出するもので、両係止部６２の先端間の長さは、配線ダクトＤの開口１４幅よりも長く且つ配線ダクトＤの両側壁１２間の距離よりも短く形成してあり、また、係止部６２の幅は、配線ダクトＤの開口１４幅よりも短く形成してある。
【００２６】
これにより、両係止部６２の先端を結ぶ方向を配線ダクトＤの開口１４の長手方向にした状態でこの開口１４内に挿入し、挿入部６１を回転させて、両係止部６２の先端側の部分を配線ダクトＤの底壁１１の上面に載置して係止させて、ハウジング２０を配線ダクトＤに支持させるものである。
【００２７】
本実施形態においては、このような挿入部６１はハウジング２０の長手方向の両側二ヶ所に設けてあり、いずれか一方にはレバー６３が設けてある。
【００２８】
レバー６３は、いずれか一方の挿入部６１から側方に突設され、ハウジング２０の開口１４を介して外方に突出するかあるいは挿入部６１のハウジング２０外の部分から突設して、レバー６３を操作して側方に回転させることで挿入部６１を回転させるようにしたものである。
【００２９】
また、挿入部６１には電極３２が設けてある。この挿入部６１は、ハウジング２０を装着した際に配線ダクトＤの上壁１３の内面に設けたアース導体１６付近にまで達する長さに形成してあり、その側面からは、係止部６２を突設した部分よりも上側の部分から栓刃からなる電極３２を突設するとともに、挿入部６１の先端に接地ピン３３が突設してある。
【００３０】
電極３２は、係止部６２と同様に挿入部６１の周方向の互いに反対側となる二ヶ所から側方に突出するもので、図４に示すように、両電極３２の先端を結ぶ方向を配線ダクトＤの開口１４の長手方向にした状態でこの開口１４内に挿入し、挿入部６１を回転させて、図５に示すように、係止部６２が配線ダクトＤの底壁１１に係止した状態で両電極３２の先端部が配線ダクトＤの側壁１２に設けた導体１０に接触して導通させるものである。
【００３１】
この電極３２には、挿入部６１の内部を通してハウジング２０内の機器と電気的に接続する上述した電線３１が接続されている。また、接地ピン３３は、挿入部６１の係止部６２が配線ダクトＤの底壁１１に係止した状態で配線ダクトＤの上壁１３の内面に設けてあるアース導体１６に接続される。このような取付部６によって、ＰＬＣプラグ２のハウジング２０を配線ダクトＤに装着することで、配線ダクトＤ内に挿入される挿入部６１から突出する係止部６２によって配線ダクトＤに装着して機械的な固定が行われると共に、配線ダクトＤ内の導体１０への電気的な接続がなされて取り付けが容易に行われるものである。
【００３２】
これにより、他の機器に電力を供給するプラグの栓刃を栓刃挿入口７１に挿入して、この他の機器に電力を供給することができる。
【００３３】
次に、電力線通信装置について説明する。電力線通信装置は、上述したようにインターフェース部４と通信ケーブル接続部５とで主体が構成される。
【００３４】
インターフェース部４に通信信号を伝送する一対の電線３１は、直流カット用のコンデンサ２１並びに絶縁トランス２２を介してインターフェース部４に接続される。また、インターフェース部４の各機器に電力を供給する電線３１には、途中にＡＣ／ＤＣコンバータからなる電源部２３が接続されている。
【００３５】
インターフェース部４は、送受信部４０と、電力線通信用モデム４１と、通信インタフェース４２と、制御部４３と、で構成される。
【００３６】
送受信部４０は、絶縁トランス２２の二次側に接続されて電力線ＰＬとの間で通信信号を送受信するためのもので、電力線通信用モデム４１に接続される。電力線通信用モデム４１は、電力線ＰＬに重畳して電送される所定形式の通信信号からデータ信号を復調する復調機能、並びに、パーソナルコンピュータ等のコンピュータやコンピュータを内蔵したネットワーク機器（ネットワークカメラ３）側からのデータ信号を所定形式の通信信号に変調する変調機能を有するＰＬＣモデムで、通信インタフェース４２に接続される。通信インタフェース４２は、例えば１００ＢＡＳＥ−ＴＸ等のＥｔｈｅｒｎｅｔ（登録商標）の規格に準拠してネットワーク機器（ネットワークカメラ３）との間でデータ信号を送受信するためのＬＡＮコントローラで、通信ケーブル接続部５に接続される。また、これら電力線通信用モデム４１、通信インタフェース４２は、制御部４３により制御される。制御部４３は、ＣＰＵを主構成要素としてインターフェース部４全体の制御を行うもので、例えば電力線通信用モデム４１と通信インタフェース４２との間で伝送するデータ（パケット）のフィルタリングなどのセキュリティ機能や、データ電送中といった通信状態を表示するための表示部４４を制御して、表示部４４が有する表示素子ＬＤを発光させる機能等を有している。これら送受信部４０、電力線通信用モデム４１、通信インタフェース４２、制御部４３といったインターフェース部４の機器は電源部２３で作成される直流電源によって動作する。
【００３７】
通信ケーブル接続部５は、ネットワーク機器（ネットワークカメラ３）に接続される通信ケーブル８２の先端に取り付けられる通信プラグが挿抜自在に接続される受け側で、通信ケーブル８２が例えばＣＡＴ５のＬＡＮケーブルである場合には、その先端に取り付けられるＲＪ−４５のモジュラプラグが挿抜自在に接続されるＲＪ−４５のモジュラジャックで構成される。通信ケーブル接続部５は、本実施形態ではハウジング２０の配線ダクトＤの長手方向の側面に形成してあるが、配線ダクトＤの短手方向の側面に形成したり下面に形成してもよい。
【００３８】
次に、本実施形態のカメラ取付台４９について、図７〜図９に基づいて説明する。
【００３９】
カメラ取付台４９は、図７に示すように配線ダクトＤに取り付けられると共にネットワークカメラ３を支持するステイ５０と、ステイ５０から径方向外側に突設される略長方形のトレイ部５５と、を備えて構成される。
【００４０】
ステイ５０は、略円柱状のステイ本体５１と、ステイ本体５１の上端に設けられ配線ダクトＤに接続されるダクト取付部５２と、ステイ本体５１の下端に設けられネットワークカメラ３を支持するカメラ取付部５３と、を備えている。
【００４１】
図８に示すようにダクト取付部５２の上面には、ＰＬＣプラグ２と同じように上方に立設される二つの第２立設片２８ａと、この間に回転自在に設けられ上方に突出する第２挿入部６１ａと、この第２挿入部６１ａの周方向の互いに反対側となる二箇所から側方に突設する第２係止部６２ａと、が設けられている。このような構成により、当該カメラ取付台４９を配線ダクトＤに取り付ける場合、配線ダクトＤの開口１４にダクト取付部５２の第２挿入部６１ａを挿入し、第２挿入部６１ａを回転させて、第２係止部６２ａを配線ダクトＤの底壁１１の上面に係止させることで、カメラ取付台４９が配線ダクトＤに取り付けられるようになっている。
【００４２】
カメラ取付部５３は、ステイ本体５１に対して回転自在に装着されている。カメラ取付部５３の下面からは、図示せぬネジ状の回転体が突設されており、このネジ状回転体をネットワークカメラ３の上面に設けられたネジ孔に螺合することで、当該カメラ取付部５３に対してネットワークカメラ３が取り付けられる。
【００４３】
トレイ部５５は、図７、図９に示すように、ステイ本体５１から径方向外側に突設される略箱形状のもので、長方形の底壁５７と、底壁５７の４辺から上方に突設された側壁５８と、を備えて構成されている。このトレイ部５５は、ネットワークカメラ３の電源ケーブル８３の途中に設けられたＡＣ／ＤＣアダプタ６０を載置することができ、底壁５７にＡＣ／ＤＣアダプタ６０を載置すると、側壁５８でＡＣ／ＤＣアダプタ６０が脱落しないように規制できる。
【００４４】
以上、本実施形態によれば、ネットワークカメラ３の電源ケーブル８３を電源ケーブル接続部７に接続した際、電源ケーブル８３の途中のＡＣ／ＤＣアダプタ６０をカメラ取付台４９のトレイ部５５に載置できるので、当該ＡＣ／ＤＣアダプタ６０が宙に浮いた状態とならないように配線ダクトＤなどに粘着テープなどで括りつける手間が不要となり、また見栄えが向上する。
【００４５】
また、電源ケーブル８３の余長分も通信ケーブル８２の予長分もこのトレイ部５５に収納でき、さらに見栄えを向上できる。
【００４６】
なお、本実施形態では、トレイ部５５の底壁４７をステイ本体５１が貫通するタイプであったが、例えば、トレイ部５５の側壁４８外面をブラケットなどの取付手段を介してステイ本体５１に取り付けたタイプのものであってもよい。
【００４７】
（第２実施形態）
図１０は第２実施形態のカメラ取付台４９の側面図である。
【００４８】
この第２実施形態のカメラ取付台４９は、図１０に示すように、ステイ本体５１の上端に設けられたダクト取付部５２とは別途、トレイ部５５の側壁５８の上端に配線ダクトＤの側面に係止される第２のダクト取付部９０が一体に設けられている点で、上述の第１実施形態と異なっている。このような第２実施形態においても、トレイ部５５により上述の第１実施形態と同様の作用効果が得られる。また、カメラ取付台４９が第１のダクト取付部５２および第２のダクト取付部９０を備えることで、カメラ取付台４９の取付安定性が増す利点がある。
【００４９】
（第３実施形態）
図１１は第３実施形態のカメラ取付台４９の側面図である。
【００５０】
図１１に示すように、第３実施形態のカメラ取付台５０は、ステイ本体５１およびステイ本体５１の上端に設けられたダクト取付部５２が無い点で、第２実施形態と異なる。具体的には、第３実施形態のカメラ取付台５０は、トレイ部５５の側壁５８の上端にダクト取付部９０が一体に設けられており、当該ダクト取付部９０のみで配線ダクトＤに支持されて当該ダクト取付部９０から給電が行われるようになっている。トレイ部５５の底壁５７にはカメラ取付部５３が設けられており、当該カメラ取付部５３にネットワークカメラ３が支持されるようになっている。
【００５１】
そのため、第３実施形態のカメラ取付台５０では、ステイ本体５１が不要となり、部品点数が減る利点がある。なお、トレイ部５５の底壁５７に、ケーブルを通すためのケーブル用挿通口を設けてあってもよい。
【００５２】
以上、本発明の好適な実施形態について説明したが、本発明は上記実施形態には限定されるものではない。例えば、上述の実施形態では、ＰＬＣプラグを介してネットワークカメラに電力供給していたが、ＰＬＣプラグを介さずに電源供給する場合にも本発明を適用できる。つまり、カメラ取付台に、配線ダクトの導体と電気接続される電線と、当該電線に接続されるコンセント部と、を設けて、当該コンセント部にネットワークカメラの電源ケーブルを接続する構造であっても、当該電源ケーブルのＡＣ／ＤＣアダプタをトレイ部に載置することで、上述の実施形態と同様の作用効果を得ることができる。また、その他様々な変形が可能である。
【図面の簡単な説明】
【００５３】
【図１】本発明の第１実施形態の配線ダクトシステムの全体図である。
【図２】同配線ダクトシステムに用いる配線ダクト用ＰＬＣプラグを配線ダクトに取り付けた状態を示し、（ａ）は断面図であり、（ｂ）は下方より見た斜視図である。
【図３】同上の配線ダクト用ＰＬＣプラグを上方より見た斜視図である。
【図４】同上においてハウジングを配線ダクトに着脱する際の取付部の状態を示す図であり、（ａ）は上面図であり、（ｂ）は正面図であり、（ｃ）は側面図である。
【図５】同上においてハウジングを配線ダクトに装着した際の取付部の状態を示す図であり、（ａ）は上面図であり、（ｂ）は正面図であり、（ｃ）は側面図である。
【図６】同上の配線ダクト用ＰＬＣプラグの回路図である。
【図７】第１実施形態のカメラ取付台の側面図である。
【図８】同カメラ取付部のダクト取付部の概略正面図である。
【図９】同カメラ取付部のトレイ部の斜視図である。
【図１０】第２実施形態のカメラ取付台の側面図である。
【図１１】第３実施形態のカメラ取付台の側面図である。
【符号の説明】
【００５４】
Ｄ  配線ダクト
１  スライドレール部
２  ＰＬＣプラグ
３  ネットワークカメラ（ネットワーク機器）
５  通信ケーブル接続部
６  取付部
７  電源ケーブル接続部
１０  導体
４９  カメラ取付台（ネットワーク機器取付台）
５０  ステイ
５１  ステイ本体
５２  ダクト取付部
５３  カメラ取付部（ネットワーク機器取付台）
５５  トレイ部
６０  ＡＣ／ＤＣアダプタ
８２  通信ケーブル
８３  電源ケーブル
【図１】
2009093897.tif 000003
【図２】
2009093897.tif 000004
【図３】
2009093897.tif 000005
【図４】
2009093897.tif 000006
【図５】
2009093897.tif 000007
【図６】
2009093897.tif 000008
【図７】
2009093897.tif 000009
【図８】
2009093897.tif 000010
【図９】
2009093897.tif 000011
【図１０】
2009093897.tif 000012
【図１１】
2009093897.tif 000013